(57)【特許請求の範囲】
【請求項１】
外部端末との通信を行うためのアンテナを具備する携帯通信端末に装着されるＩＣカードであって、
前記ＩＣカードの１つの面に設けられ、ＩＣカードに関する第１の規格で前記携帯通信端末と通信する為の第１の端子と、
前記ＩＣカードの側面に設けられ、前記アンテナに接続される第２の端子と、
前記ＩＣカードの前記第１の端子が配置された面と反対側の面に設けられ、ＩＣカードに関する第３の規格で前記携帯通信端末と通信する為の第３の端子と、
を具備することを特徴とするＩＣカード。
【請求項２】
請求項１に記載のＩＣカードの前記第１の端子及び第３の端子に接続される接続部と、
前記ＩＣカードの前記第２の端子に接続され、前記ＩＣカードと外部端末とが通信を行うためのアンテナと、
を有することを特徴とする携帯通信端末。
【発明の詳細な説明】
【技術分野】
【０００１】
本発明は、ＩＣカード及びこのＩＣカードが適用される携帯通信端末に関する。
【背景技術】
【０００２】
ＩＣカードは、ＩＳＯ／ＩＥＣ７８１６および同１４４４３で規定された外部インタフェースを有している。この規格によれば、例えば接触型ＩＣカードではＩＳＯ／ＩＥＣ７８１６で外部端子の配置、位置は決められていて、かつ一つの通信方式に対応して外部との通信のためのインタフェースはＩＣカードの片側に配置されている。また非接触型ＩＣカードであれば、カード内部に埋め込まれたアンテナを介して外部との通信を行うように構成されている。更に、接触型と非接触型の両方の機能を有するＩＣカードの場合には、カードの片面に外部接続端子が配置されており、カード内部に配置されたアンテナを有して外部との通信を行うように構成されている。
【０００３】
近年、実際には使用していない端子を使用して他の通信方式、例えば、ＵＳＢなどをＩＣカードに実装するものがある。しかし、その場合でも端子数に限りがあるため他の通信方式を採用することが出来ないという問題を有する。特に、携帯通信端末などに差し込んで使用するＩＣカードである、いわゆるＳＩＭ（Subscriber Identity Module）カードでは、アプリケーションプログラムやデータを格納するためのメモリが増大しているため、通信の速度を上げたいという要求が強くなされている。さらに、ＳＩＭカードでは、無線通信を含めた他の通信方式も搭載する要求まで提案されている。しかし、これらは、ＩＳＯ／ＩＥＣ７８１６で規定された端子の空き部分に新たに端子を実装するものであるため、規定された数以上の外部インタフェースをもつことができない。
【非特許文献１】ＩＳＯ／ＩＥＣ７８１６
【非特許文献２】ＩＳＯ／ＩＥＣ１４４４３
【発明の開示】
【発明が解決しようとする課題】
【０００４】
本発明は、異なる通信規格に対応可能なＩＣカードとこのＩＣカードが適用される携帯通信端末を提供することを目的とする。
【課題を解決するための手段】
【０００５】
本発明の局面に係るＩＣカードは、外部端末との通信を行うためのアンテナを具備する携帯通信端末に装着されるＩＣカードであって、前記ＩＣカードの１つの面に設けられ、ＩＣカードに関する第１の規格で前記携帯通信端末と通信する為の第１の端子と、前記ＩＣカードの側面に設けられ、前記アンテナに接続される第２の端子と、前記ＩＣカードの前記第１の端子が配置された面と反対側の面に設けられ、ＩＣカードに関する第３の規格で前記携帯通信端末と通信する為の第３の端子と、具備する。
【発明の効果】
【０００６】
本発明によれば、１つのＩＣカードのみで異なる通信規格に対応することができる。
【発明を実施するための最良の形態】
【０００７】
図面を参照して本発明の実施の形態を説明する。図１は、本発明の実施の形態に係るＩＣカードが適用される携帯通信端末の概観斜視図である。この携帯通信端末は、上部筐体１と下部筐体２とをヒンジ機構３を介して回動可能に接続したいわゆる折り畳み型の携帯通信端末であり、図１は各筐体１、２を開いた状態を示している。上部筐体１には、その前面にメインＬＣＤ（Liquid Crystal Display）４が配設され、背面に図示しないサブＬＣＤ（Liquid Crystal Display）が配設されている。一方、下部筐体２には、キー入力デバイス５等と共に図示しない主印刷配線基板が収容されている。また、図１において、通常下部筐体２の側部にＩＣカードの装着（挿入）用のスロット（不図示）が設けられており、該スロットにＩＣカードが挿脱自在に装着される。
【０００８】
本発明の一実施形態に係るＩＣカードについて、図２を参照して説明する。なお、本実施形態では、ＩＣカードの例として携帯通信端末である携帯電話に使用されるＳＩＭカードを例として説明するが、他の規格に基づくＩＣカードにももちろん適用可能である。図２は、従来のＳＩＭカードと本発明の一実施形態に係るＳＩＭカードを示す図であって、（ａ）は従来のＳＩＭカードであり、（ｂ）は本実施形態に係るＳＩＭカードの例を示す図である。  
図２（ａ）に示すように、従来のＳＩＭカード１０は、外部インタフェースの端子１２が所定の位置に所定の数、すなわち例えばＩＳＯ／ＩＥＣ７８１６で規定される位置と数、配置されている。なお、このＳＩＭカード１０の携帯通信端末への挿入方向は一意に定まっており、切り欠き１４によりその挿入方向や携帯通信端末に挿入する場合のＳＩＭカード１０の向きが規定されている。これにより、ＳＩＭカード１０と携帯通信端末の通信を確保することができる。しかし、前述したように、規格に定められたＳＩＭカードの端子のみでは、無線通信を含めた他の通信方式を搭載するような要求を満たすことができない。そこで、本実施形態では、図２（ｂ）に示すように、現在端子１２が配置されている部分以外の部分に、追加の端子１６を設けている。この追加端子１６は、ＳＩＭカード１０に規定された通信方式以外の他の通信方式、例えば、ＵＳＢ用の端子であったり、無線通信を行うためのアンテナにつながる端子であったりしても良い。また、追加端子１６は、端子１２が配置されている面と同じ面であって端子が配置されていない場所でも良いし、端子１２が配置されている面と反対側の面に設けても良い。さらに、ＳＩＭカード１０の側面に端子を設けても良い。
【０００９】
このように、追加端子１６を設けた場合において、ＳＩＭカード１０の差し込む方向および向きは一意に定まっているので、従来の携帯通信端末に本実施形態に係るＳＩＭカード１０を装着した場合であっても互換性を損なうことはない。また、本実施形態に係るＳＩＭカード１０が適用される携帯通信端末に、従来型のＳＩＭカード１０が挿入された場合であっても、携帯通信端末で、ＳＩＭカード１０が図２（ａ）に記載のＳＩＭカード１０であるか、図２（ｂ）に示すような本実施形態に係るＳＩＭカード１０であるかを識別可能とすることができるので、携帯通信端末側でシステム上の問題は発生しない。
【００１０】
本実施形態に係るＳＩＭカード１０が適用される携帯通信端末に本実施形態に係るＳＩＭカード１０が装着された場合において、例えば無線通信を外部端末とＳＩＭカード１０でする場合には、ＳＩＭカード１０が追加端末１６を介して携帯通信端末のアンテナに接続される。そして、そのアンテナを通して図示しない外部端末とのデータ通信を実行することが可能になる。また、大容量のデータを携帯通信端末と通信する場合には、追加端子１６として、例えばＵＳＢ用の端子を設けることにより、高速でデータ通信を行うことができる。
【００１１】
図３に、ＳＩＭカード形状のメディアの具体例を示す。図３に記載のメディアは、ＩＳＯ／ＩＥＣ７８１６で規定される携帯用のＳＩＭカード１０の機能と、ＵＳＢ機能と、無線カード機能と、ＳＤカード機能とを有するものとする。この場合において、無線カード機能におけるアンテナは携帯通信端末が有するものとし、アンテナまでの接続端子がＳＩＭカード１０に設けられているものとする。
【００１２】
図３に示すように、メディア上面にはＳＩＭカードとしての接続用端子１２が従来のＳＩＭカード１０同様に配置されている。また、メディア下面にＵＳＢおよび無線カードの通信用の端子１６１が配置されており、側面に他の通信規格用の端子１６２が配置されている。そして、端子１６１には、本実施形態に係るＩＣカードが適用される携帯通信端末に内蔵されたアンテナ２０が接続されるようになっている。このように、本実施形態に係るＳＩＭカード１０のメディアには、ＳＩＭカード、更には無線カードの機能を備え、また、外部との通信手段として新たにＵＳＢ等を備えるようにしたので、高速通信を実行することができ、現在のＳＩＭカード１０に比べて短時間で大容量のデータを扱うことができ、使用者に対して快適な動作環境を提供することができる。更に、従来のＳＩＭカード１０あるいは無線カードとも互換性を失うことが無い。
【００１３】
上記のように、本発明によれば、上記のような例えばＳＩＭカードの規格に基づいて設けられた端子以外に、カード（モジュールも含む）の両面あるいは側面にも端子を配置することで、今より多くの通信方式に対応することができ、特に携帯通信端末で現状のＳＩＭの仕様を満足しつつ、携帯通信端末と外部端末の電磁結合による無線通信をし、携帯通信端末に内蔵されたアンテナの両端がＩＣカードあるいはモジュールの外部端子に接続されるものにそのデータを本ＩＣカードあるいはモジュールに格納することが可能となる。携帯通信端末に挿入されるＳＩＭには挿入方向を示す切れ込みがあり、その向きにより従来の端子面がどちらに来るか分かるので、従来のＳＩＭの仕様を満たすことが出来る。他の端子面は新しい通信規格に従ったものとなるが、こちらのインタフェースをサポートしていない携帯通信端末は従来方式の通信手段とそれによって供給される機能を使用者に与える。また、反対の端子面に対応した携帯通信端末は従来の通信手段とそれによって供給される機能のみならず、新しい通信手段とそれによって供給される機能を使用者に与えることが可能になる。また、クレジットカードサイズのＩＣカードでも、カードに対する端子の位置は裏・表で対象でないため、ＳＩＭと同様、差し込む方向でカードがサポートする機能を判別することができる。これにより例えば、従来のＳＩＭカードの外部インタフェースに加え、無線通信用のインタフェース、ＵＳＢインタフェースなど複数のインタフェースを搭載することが可能であり、かつ従来のインタフェースの規定を満足しているため、互換性を損なうことが無い。
【００１４】
本発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【００１５】
また、例えば各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００１６】
【図１】本発明の実施の形態に係るＩＣカードが適用される携帯通信端末の概観斜視図。
【図２】従来のＳＩＭカードと本発明の一実施形態に係るＳＩＭカードを示す図であって、（ａ）は従来のＳＩＭカードであり、（ｂ）は本実施形態に係るＳＩＭカードの例を示す図。
【図３】ＳＩＭカード形状のメディアの具体例を示す図。
【符号の説明】
【００１７】
１…上部筐体
２…下部筐体
３…ヒンジ機構
４…メインＬＣＤ
５…キー入力デバイス
１０…ＳＩＭカード
１２…端子（第１の端子）
１６…端子（第２の端子）
２０…アンテナ
【図１】
0004828943.tif 000002
【図２】
0004828943.tif 000003
【図３】
0004828943.tif 000004